【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
金額記憶手段に記憶される金額の変更分に基づき、ポイント数を計算するポイント計算装置であって、
複数のポイント種類を記憶するポイント種類記憶手段と、
前記記憶したポイント種類のうち、前記金額記憶手段を特定するための識別情報に対応付けて、蓄積するポイント種類の選択をポイント選択記憶手段に記憶させる手段と、
前記金額記憶手段に記憶される前記金額の変更分を取得する金額取得手段と、
前記取得した金額を集計する集計手段と、
前記集計した金額に基づいて、前記選択したポイント種類ごとにポイント数を計算するポイント数計算手段と、
前記識別情報に対応付けて前記計算したポイント種類ごとのポイント数を出力するポイント出力手段と、
を具備したことを特徴とするポイント計算装置。
【請求項２】
前記ポイント選択記憶手段は、最も最近に選択されたポイント種類の選択を記憶することを特徴とする請求項１に記載のポイント計算装置。
【請求項３】
前記選択されたポイント種類ごとのポイント数配分比率を記憶する配分比率記憶手段を具備し、
前記ポイント数計算手段は、前記記憶したポイント種類ごとのポイント数配分比率に従ってポイント種類ごとのポイント数を計算することを特徴とする請求項１又は請求項２に記載のポイント計算装置。
【請求項４】
前記識別情報に対応付けられたユーザ属性に応じたポイント数計算比率を記憶するユーザ属性ポイント数計算比率記憶手段を具備し、
前記ポイント数計算手段は、前記記憶したユーザ属性に応じたポイント数計算比率に従ってユーザごとのポイント数を計算することを特徴とする請求項１から請求項３のいずれか１項に記載のポイント計算装置。
【請求項５】
決済が行われた時間帯に応じたポイント数計算比率を記憶する決済時間帯ポイント数計算比率記憶手段を具備し、
前記ポイント数計算手段は、前記記憶した決済が行われた時間帯に応じたポイント数計算比率に従って決済が行われた時間帯ごとのポイント数を計算することを特徴とする請求項１から請求項４のいずれか１項に記載のポイント計算装置。
【請求項６】
前記決済時間帯ポイント数計算比率記憶手段が、決済が行われた店舗及び決済が行われた時間帯に応じたポイント数計算比率を記憶しており、
前記ポイント数計算手段は、前記記憶した決済が行われた店舗及び時間帯に応じたポイント数計算比率に従って決済が行われた店舗及び時間帯ごとのポイント数を計算することを特徴とする請求項５に記載のポイント計算装置。
【請求項７】
前記金額記憶手段を特定するための識別情報に対応付けて、蓄積するポイント種類の選択を記憶する前記ポイント選択記憶手段が、識別情報に対応付けて蓄積する同一のポイント種類の選択を一定期間継続して記憶していた場合、前記ポイント数計算手段は、当該ポイント種類のポイント数計算比率をアップさせて計算することを特徴とする請求項１から請求項６のいずれか１項に記載のポイント計算装置。
【請求項８】
前記ポイント数計算手段がポイント数を計算する際の選択したポイント種類とは、前記集計手段が集計する時点で選択されているポイント種類であることを特徴とする請求項１から請求項７のいずれか１項に記載のポイント計算装置。
【請求項９】
金額記憶手段に記憶される金額の変更分に基づき、ポイント数を計算するポイント計算装置が行うポイント計算方法であって、
複数のポイント種類を記憶するポイント種類記憶ステップと、
前記ポイント種類記憶ステップで記憶したポイント種類のうち、前記金額記憶手段を特定するための識別情報に対応付けて、蓄積するポイント種類の選択をポイント選択記憶手段に記憶させるステップと、
前記金額記憶手段に記憶される前記金額の変更分を取得する金額取得ステップと、
前記金額取得ステップで取得した金額を集計する集計ステップと、
前記集計ステップで集計した金額に基づいて、前記選択したポイント種類ごとにポイント数を計算するポイント数計算ステップと、
前記識別情報に対応付けて前記ポイント数計算ステップで計算したポイント種類ごとのポイント数を出力するポイント出力ステップと、
を具備したことを特徴とするポイント計算方法。
【請求項１０】
金額記憶手段に記憶される金額の変更分に基づき、ポイント数を計算する機能をコンピュータに実現させるポイント計算プログラムであって、
複数のポイント種類を記憶するポイント種類記憶機能と、
前記ポイント種類記憶機能で記憶したポイント種類のうち、前記金額記憶手段を特定するための識別情報に対応付けて、蓄積するポイント種類の選択をポイント選択記憶手段に記憶させる機能と、
前記金額記憶手段に記憶される前記金額の変更分を取得する金額取得機能と、
前記金額取得機能で取得した金額を集計する集計機能と、
前記集計機能で集計した金額に基づいて、前記選択したポイント種類ごとにポイント数を計算するポイント数計算機能と、
前記識別情報に対応付けて前記ポイント数計算機能で計算したポイント種類ごとのポイント数を出力するポイント出力機能と、
をコンピュータに実現させるポイント計算プログラム。
【手続補正２】
【補正対象書類名】明細書
【補正対象項目名】００１０
【補正方法】変更
【補正の内容】
【００１０】
本発明は、前記目的を達成するために、請求項１記載の発明では、金額記憶手段に記憶される金額の変更分に基づき、ポイント数を計算するポイント計算装置であって、複数のポイント種類を記憶するポイント種類記憶手段と、前記記憶したポイント種類のうち、前記金額記憶手段を特定するための識別情報に対応付けて、蓄積するポイント種類の選択をポイント選択記憶手段に記憶させる手段と、前記金額記憶手段に記憶される前記金額の変更分を取得する金額取得手段と、前記取得した金額を集計する集計手段と、前記集計した金額に基づいて、前記選択したポイント種類ごとにポイント数を計算するポイント数計算手段と、前記識別情報に対応付けて前記計算したポイント種類ごとのポイント数を出力するポイント出力手段と、を具備したことを特徴とするポイント計算装置を提供する。
請求項２記載の発明では、前記ポイント選択記憶手段は、最も最近に選択されたポイント種類の選択を記憶することを特徴とする請求項１に記載のポイント計算装置を提供する。
請求項３記載の発明では、前記選択されたポイント種類ごとのポイント数配分比率を記憶する配分比率記憶手段を具備し、前記ポイント数計算手段は、前記記憶したポイント種類ごとのポイント数配分比率に従ってポイント種類ごとのポイント数を計算することを特徴とする請求項１又は請求項２に記載のポイント計算装置を提供する。
請求項４記載の発明では、前記識別情報に対応付けられたユーザ属性に応じたポイント数計算比率を記憶するユーザ属性ポイント数計算比率記憶手段を具備し、前記ポイント数計算手段は、前記記憶したユーザ属性に応じたポイント数計算比率に従ってユーザごとのポイント数を計算することを特徴とする請求項１から請求項３のいずれか１項に記載のポイント計算装置を提供する。
請求項５記載の発明では、決済が行われた時間帯に応じたポイント数計算比率を記憶する決済時間帯ポイント数計算比率記憶手段を具備し、前記ポイント数計算手段は、前記記憶した決済が行われた時間帯に応じたポイント数計算比率に従って決済が行われた時間帯ごとのポイント数を計算することを特徴とする請求項１から請求項４のいずれか１項に記載のポイント計算装置を提供する。
請求項６記載の発明では、前記決済時間帯ポイント数計算比率記憶手段が、決済が行われた店舗及び決済が行われた時間帯に応じたポイント数計算比率を記憶しており、前記ポイント数計算手段は、前記記憶した決済が行われた店舗及び時間帯に応じたポイント数計算比率に従って決済が行われた店舗及び時間帯ごとのポイント数を計算することを特徴とする請求項５に記載のポイント計算装置を提供する。
請求項７記載の発明では、前記金額記憶手段を特定するための識別情報に対応付けて、蓄積するポイント種類の選択を記憶する前記ポイント選択記憶手段が、識別情報に対応付けて蓄積する同一のポイント種類の選択を一定期間継続して記憶していた場合、前記ポイント数計算手段は、当該ポイント種類のポイント数計算比率をアップさせて計算することを特徴とする請求項１から請求項６のいずれか１項に記載のポイント計算装置を提供する。
請求項８記載の発明では、前記ポイント数計算手段がポイント数を計算する際の選択したポイント種類とは、前記集計手段が集計する時点で選択されているポイント種類であることを特徴とする請求項１から請求項７のいずれか１項に記載のポイント計算装置を提供する。
請求項９記載の発明では、金額記憶手段に記憶される金額の変更分に基づき、ポイント数を計算するポイント計算装置が行うポイント計算方法であって、複数のポイント種類を記憶するポイント種類記憶ステップと、前記ポイント種類記憶ステップで記憶したポイント種類のうち、前記金額記憶手段を特定するための識別情報に対応付けて、蓄積するポイント種類の選択をポイント選択記憶手段に記憶させるステップと、前記金額記憶手段に記憶される前記金額の変更分を取得する金額取得ステップと、前記金額取得ステップで取得した金額を集計する集計ステップと、前記集計ステップで集計した金額に基づいて、前記選択したポイント種類ごとにポイント数を計算するポイント数計算ステップと、前記識別情報に対応付けて前記ポイント数計算ステップで計算したポイント種類ごとのポイント数を出力するポイント出力ステップと、を具備したことを特徴とするポイント計算方法を提供する。
請求項１０記載の発明では、金額記憶手段に記憶される金額の変更分に基づき、ポイント数を計算する機能をコンピュータに実現させるポイント計算プログラムであって、複数のポイント種類を記憶するポイント種類記憶機能と、前記ポイント種類記憶機能で記憶したポイント種類のうち、前記金額記憶手段を特定するための識別情報に対応付けて、蓄積するポイント種類の選択をポイント選択記憶手段に記憶させる機能と、前記金額記憶手段に記憶される前記金額の変更分を取得する金額取得機能と、前記金額取得機能で取得した金額を集計する集計機能と、前記集計機能で集計した金額に基づいて、前記選択したポイント種類ごとにポイント数を計算するポイント数計算機能と、前記識別情報に対応付けて前記ポイント数計算機能で計算したポイント種類ごとのポイント数を出力するポイント出力機能と、をコンピュータに実現させるポイント計算プログラムを提供する。